(57)【要約】      （修正有）【課題】衣服のベストとベストの前身頃に重ねた上布を、一体化させ、ポケットとし、不自由である左右どちらかの手首、腕を固定することにより、肩の脱臼を予防し、手の保護や、歩くときの手の不安定さ、見た目の不自由さを軽減し、一年中着用できる手首固着ポケット付きベストを提供する。【解決手段】ベスト本体１に、ポケット布３をつけ、上段ポケット３ａの固着可能な固定具２で手首の固定をし、３ｄ縫合形で肘が下がらないようにし、襟まわり３ｃや袖周り１ｃを大きく取り、脇開き３ｈをつけて着脱し易くし、挿入口３ｅで、手又は腕を挿入し、挿入口３ｆで下げたままの手を挿入でき、底縫合３ｇで下段ポケット３ｂとした。【選択図】図３
0003142481.tif 000002
【実用新案登録請求の範囲】
【請求項１】
衣服の一重ベストの前身頃に上布を1~3枚重ね、上段、下段を縫合し左右両サイドに手首、腕の挿入開口をつけてポケットとし、上段ポケットの内側中央部に固着可能な固定具をつけ、下段ポケットも左右両サイドに手用挿入開口を設けていることを特徴とする手首固着ポケット付きベスト。
【請求項２】
請求項1において、一重ベストと上布の襟まわりを大きくとり、両サイドの脇布を裾から上部に身長に合わせた脇あきを付け、身幅や、着丈も着用者に合わせてサイズを変更できるようにしたことを特徴とする手首固着ポケット付きベスト。
【請求項３】
請求項1において、一重ベストの前身頃に上布を1~3枚重ね、上段、下段を縫合し左右両サイドの縫合部分をまっすぐ、又は上方向にカーブさせていることを特徴とする手首固着ポケット付きベスト。
【請求項４】
請求項1において、使用される素材は繊維である綿、麻、絹、羊毛などの天然素材、ポリエステル繊維、ポリアミド繊維、ポリアクリル繊維などの化学繊維、またはこれらの混紡繊維であり、ベストの形状で通常の衣服として着用できることを特徴とする手首固着ポケット付きベスト。
【請求項５】
請求項1において、一重ベストの前身頃に上布を1~3枚重ね、上段、下段の100~200mmで1~2ヶ所を縫合し、左右手首、腕の挿入開口をつけてポケットとし、上段ポケットの内側中央部に固着可能な幅30~50mmのものを使用した固定具をつけ、左右両サイドに縫合部分をまっすぐ、又は上方向に50~100mmカーブさせ、下段ポケットも左右両サイドに幅100~300mmの手用挿入口を設けていることを特徴とする手首固着ポケット付きベスト。
【請求項６】
請求項１において、手首固着固定具は面ファスナーを利用したものや、ニットを使用した袖口状のものを使用していることを特徴とする手首固着ポケット付きベスト。
【請求項７】
請求項1における手首固着ポケット付きベストに使用する生地のデザインは、無地や模様のものもあり、飾りポケットやボタンをつけた装飾ができるようにして、男女とも外出用にも着用できるように考案したデザインもあり、上段ポケットだけのデザインもある手首固着ポケット付きベスト。
【考案の詳細な説明】
【技術分野】
【０００１】
本考案は、衣服である一重ベストの前身頃に上布を１〜３枚重ね、上段・下段のポケットを作成し、左右両サイドに手首・腕の挿入開口をつけ、左右どちらからでも不自由である手、腕を入れ固定することの出来る、手首固着ポケット付きベストである。
【背景技術】
【０００２】
従来重度の身障者用衣服や介護者のエプロン等は、多くみられ、腕固定も、肩から吊り下げて使用する三角巾等は、よく知られているが、見た目の不自由さが目立ち問題があった。
【０００３】
近年においては、提案されている被介護者食事エプロンや、介護用肩掛けなどがある。
（特許文献１〜２参照）
【０００４】
身障者の左右どちらかの手、腕の不自由な人が、日常で容易に着ることができ、さらに、手首、腕を固定することで、見た目の不自由さ、不安定さを軽減することのできる衣服が要望されている。
【０００５】
【特許文献１】特開２００１−３３６００４号
【特許文献２】特開２００３−３８５３９号
【考案の開示】
【考案が解決しようとする課題】
【０００６】
現在までの考案は、重度の介護を必要とするための衣服や、エプロン等が多く、通常着用できる衣服によって、不自由な手、腕を固定し、肩の脱臼、手の怪我等を予防し、見た目の不自由さ、不安定さを軽減でき、一年中着ることの出来る衣服の提供がのぞまれている。
【課題を解決するための手段】
【０００７】
上記課題を解決するために本考案が講じた手段は次のとおりである。
衣服の一重ベストの前身頃に、上布を１〜３枚重ね、上段と下段を縫合し、左右両サイドに手首、腕の挿入開口をつけてポケットとし、上段ポケットの内側中央部に固着可能な固定具をつけ、左右両サイドの縫合部分をまっすぐ又は、上方向にカーブさせ、下段ポケットも左右両サイドに手用挿入開口を設けている手首固着ポケット付きベストである。
【０００８】
襟まわりを大きく取り、両サイドの脇布を、裾から上部に着用者の身長に合わせた脇開きを付け，身幅や着丈も、着用者に合わせて、サイズを変更できるようにしている。
使用される素材は、繊維である綿、麻、絹、羊毛などの天然素材、ポリエステル繊維、ポリアミド繊維、ポリアクリル繊維などの化学繊維、またはこれらの混紡繊維であり、ベストの形状で通常の衣服として着用できる手首固着ポケット付きベストである。
【０００９】
衣服の一重ベストの前身頃に、上布を１〜３枚重ね、好ましくは、上段と下段の１５０ｍｍで、２箇所を縫合し、左右両サイドに手首、腕の挿入開口をつけてポケットとし、上段ポケットの内側中央部に固着可能な幅３０〜５０ｍｍ、の固定具をつけ、好ましくは、左右両サイドの縫合部分をまっすぐ、あるいは、上方向に５０ｍｍカーブさせ、下段ポケットも好ましくは、左右両サイドに幅１５０ｍｍの手用挿入開口を設けている手首固着ポケット付きベストである。
【００１０】
襟まわり、袖まわりも大きく取り着易いようにし、両サイドの脇布は、裾から上部に、着用者のサイズに合わせて脇開きをつけ、着丈、身幅も着用者のサイズに合わせて変更して着易い様に作製している。
【００１１】
素材は、天然繊維（綿、麻、絹、羊毛など）又は合成繊維（ポリエステル、ポリアミド、ポリアクリルなど）とこれらの混紡で、洗濯可能な素材を使用し、ポケット等の縫合部分も、２段縫合をして耐久性を持たし、通常の衣服として一年中着る事のできるように考案した。
【考案の効果】
【００１２】
以上説明したように本考案は、容易に着用でき、左右どちらかの不自由な手首、腕を挿入して固定することにより、肩や腕の保護にもなり見た目の不自由さ、不安定さを軽減でき、ベストの形状のためＴシャツ、セーターの上に着ることが可能で、季節を問わず一年中着用できる利便性のある衣服である。
【考案を実施するための最良の形態】
【００１３】
本考案を、下記の図を基に実施例とともに詳細に説明する。
図1の本体ベスト、図2、図４の手首固着ポケット付きベストの実施例を示す。
【実施例１】
【００１４】
図1に示すように、衣服であるベスト本体１の（ａ）は、着丈を６００mmにして、身幅は、１１００ｍｍで、襟の形状はV形であって、使用した繊維は天然繊維の棉であり、前身頃1aと後身頃1bとで構成されており、前身頃1aの中心部分に、幅３０ｍｍ、長さ８０ｍｍの’雄雌付き面ファスナー2b’を利用した固定可能な固定具２をつけ、図1の（b）に示すように面ファスナーの固定具の2aは、噛合した状態、2bは、開放した状態であり、ベスト本体１にとりつけた。
【実施例２】
【００１５】
図２に示すようにポケット布3は、ベスト本体1の前身頃部分に重ねた繊維である棉の上布で、襟まわり3cは、大きく取り着脱しやすくしてあり、ベスト本体の袖まわり１ｃも大きく取り、襟まわり同様着脱しやすくした。上段ポケット３ａは、両サイド手首、腕挿入口３ｅとして開口し、縫合部分３ｄは、５０ｍｍ上にカーブして、下段ポケット３ｂには、１５０ｍｍの手開口３ｆを設けることにより、不自由な手を下げたまま入れることができ、物入れとしても利用できるように考案して着用者のサイズに合わせて、容易に着脱できるよう両サイドに脇開き３ｈをつけ、身幅、着丈のサイズも、着用者に合わせて変更している。ベスト袖まわり１ｃや、ポケット布３の両サイドは、それぞれバイアス布をあて始末し、縫合部分も2段縫合をすることでより丈夫に仕立ててある。図３に着用の状態図を示す。着用者は、手の固定をすることによって、歩くときの手が不安定でなくなった。
【実施例３】
【００１６】
図４で示すように、衣服であるベスト本体１の（ａ）は、着丈を６５０mmにして、身幅は、１２００ｍｍで、襟の形状はV形であって、使用した繊維は天然繊維の棉であり、前身頃1aと後身頃1bとで構成されており、前身頃1aの中心部分に、幅３０ｍｍ、長さ８０ｍｍの’雄雌付き面ファスナー2ｂ‘を利用した固定可能な固定具２をつけた。
手首固着ポケット付きベストの使用する布地のデザインは、無地や模様のものを使用し、飾りポケットやボタンをつけた装飾をして、男女とも外出用にも着用できる手首固着ポケット付きベストである。
【実施例４】
【００１７】
実施例３と同様に図４で示すように、手首固着ポケット付きベストの使用する布地のデザインは、無地や模様のものを使用し、飾りポケットやボタンをつけた装飾をして、上段ポケットのみもある手首固着ポケット付きベストである。
【図面の簡単な説明】
【００１８】
【図１】ベスト本体と固定可能な固定具を拡大した、ベスト本体図（ａ）と固定可能な固定具の拡大図（ｂ）
【図２】手首固着ポケット布をつけた状態の手首固着ポケット付きベスト完成図
【図３】手首固着ポケット付きベストを着た状態の手首固着ポケット付きベスト着用図
【図４】飾りポケットやボタンを付けて、デザインを変えた手首固着ポケット付きベス                ト（Ａ）と上段ポケットのみの手首固着ポケット付きベスト（Ｂ）
【符号の説明】
【００１９】
１  ベスト本体
1a  ベスト前身頃
1b  ベスト後身頃
1c  ベスト袖まわり
２  手首固着固定具
2a  手首固着固定具拡大図（噛合）
2b  手首固着固定具拡大図（開放）
2b’  面ファスナー
３  ポケット布
3a  上段ポケット部分
3b  下段ポケット部分
3c  襟まわり
3d  上段ポケット縫合部分
3e  上段ポケット腕挿入開口部分
3f  下段ポケット手挿入開口部分
3g  下段ポケット底縫合部分  
3h  ベスト脇開き部分
【図１】
0003142481.tif 000003
【図２】
0003142481.tif 000004
【図３】
0003142481.tif 000005
【図４】
0003142481.tif 000006